(57)【要約】【課題】  おにぎりに対し海苔を隔離状態で被包しながら包装し、包装の開封及び取り去りと同時に海苔がおにぎりの表面に巻き付けられる食品用包装材において、包装の開封及び取り去りを容易にする。【解決手段】  短手方向に２分割するためのカットテープ２、２による分断手段を有する略長方形の表側フィルム１に、短手方向に２分割した一対のフィルム片６Ａ、６Ｂにより表側フィルムを覆うと共に表側フィルムの分断手段に位置する箇所にフィルム片同士の重なり部を設けた裏側フィルムを重ね合わせた食品用包装材Ｐにおいて、先端がカットテープに交差するとともに後端がカットテープからフィルムの側端に向かって離れる一対の斜線からなる表側フィルムのハ状の切り込み４Ａ、４Ｂと、ハ状の切り込みの上方に位置し、カットテープと交差する横線からなる表側フィルムのー状の切り込み５を設け、ラベル片Ｌをこれらの切り込みを覆う箇所に貼着する。【選択図】      図１
2018095294.tif 000002
【特許請求の範囲】
【請求項１】
短手方向に２分割するためのカットテープによる分断手段を有すると共に食品を被包可能な大きさを有する略長方形の表側フィルムに、短手方向に２分割した一対のフィルム片により表側フィルムを覆うと共に表側フィルムの分断手段に位置する箇所にフィルム片同士の重なり部を設けた裏側フィルムを重ね合わせた食品用包装材において、
先端が上記カットテープに交差するとともに後端がカットテープからフィルムの側端に向かって離れる一対の斜線からなる表側フィルムのハ状の切り込みと、
上記ハ状の切り込みの上方に位置し、カットテープと交差する横線からなる表側フィルムのー状の切り込みと、
表側フィルムの上記のハ状の切り込みと一状の切り込みを覆う箇所に貼着されるラベル片を、
備えたことを特徴とする食品用包装材。
【請求項２】
ラベル片は食品の品名ラベルであり、上記のハ状の切り込みと一状の切り込みはラベル片の下方に対応して配される請求項１記載の食品用包装材。
【請求項３】
カットテープは左右一対配されるとともに、ー状の切り込みは両端がカットテープに達するようカットテープ間に配される請求項１または２記載の食品用包装材。
【請求項４】
分断手段の開始箇所の左右に一対の切り込みを設けた請求項１から３のいずれかに記載の食品用包装材。
【請求項５】
食品用包装材は短手方向に２分割するためのカットテープによる分断手段を有すると共におにぎりを被包可能な大きさを有する略長方形の表側フィルムに、短手方向に２分割した一対のフィルム片により表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの周縁同士を接合することにより内部に海苔を収容するためのポケット部を構成したものである請求項１から４のいずれかに記載の食品用包装材。
【発明の詳細な説明】
【技術分野】
【０００１】
本願発明はプラスチックフィルムからなる食品用包装材に関し、より詳細にはおにぎりに対し海苔を隔離状態で被包しながら包装し、包装の開封及び取り去りと同時に海苔がおにぎりの表面に巻き付けられる作用を生じる食品用包装材に関する。
【背景技術】
【０００２】
三角形のおにぎりを被包可能な大きさを有すると共に、短手方向に２分割するためのカットテープによる分断手段を有する長方形の表側フィルムに、短手方向に２分割した一対のフィルム片により表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの周縁同士を接合することにより内部に海苔等を収容するためのポケット部を構成したプラスチックフィルム製の食品用包装材が公知である（特許文献１〜２）。
【０００３】
この包装材は裏側フィルム側をおにぎり側に接触させておにぎりを包装するものであるが、具体的にはおにぎりの底面を包装材の前後の中央付近に位置させると共に包装材の後半分でおにぎりの背面を覆った後、前半分で正面を覆う。この場合、おにぎりは三角形であるのに対し包装材は長方形であるので、包装材の左右に包装材の前方の短手辺の角部を頂点とした余白部分が残るが、この余白部分をおにぎりの背面を覆っている包装材の後半分の上に折り返して重ねて接着し、更にその上にラベルを接着することにより包装状態を固定する（特許文献３〜７）。そして、開封にあたっては表側フィルムに施されたカットテープをおにぎりの正面側から引っ張り上げることにより表側フィルムを左右に順次分断し、カットテープの進路を横切る位置に折り重ねられた上記の包装材の他部分（余白部分）も分断する。この場合、裏側フィルムは既に一対のフィルム片により左右に分割されているのであるから、包装材は結局左右に分割されることとなり、左右に引くことによりポケット部に収容された海苔を残して包装材は取り去られ、海苔のみがおにぎりの表面に包装されて残ることとなる。
【０００４】
図３〜７は前記の従来技術を特許文献６に記載の発明を例にとり記載したものである。図３は包装材の分解状態を示す。上記包装材Ｐは表側フィルム１１と裏側フィルム１４Ａ、１４Ｂを、内部に海苔を収容するためのポケット部を構成するように重合した構成からなる。表側フィルム１１はおにぎりＲを被包可能な大きさの長方形からなり、短手方向に２分割するための帯状の切り取りによる分断手段として表側フィルム１１の裏側に固着される一対のカットテープ１２、１２を有する。図中符号１３、１３はカットテープ１２、１２の引き上げ開始時における表側フィルム１１の引き裂きを容易にするために、表側フィルムの一端の分断手段の開始箇所の左右に設けられる一対の切り込み１３、１３である。
【０００５】
裏側フィルムは包装時におにぎりＲの表面に接する側のフィルムであり、表側フィルム１１を覆う形状に短手方向に２分割した一対のフィルム片１４Ａ及び１４Ｂにより構成され、これらのフィルム片は表側フィルムの分断手段に位置する箇所において一部分が重なる重なり部を構成する。
【０００６】
表側フィルム１１と裏側フィルム１４Ａ、１４Ｂは、裏側フィルムのフィルム片同士の重なり部１５を除いた周縁四方にヒートシールなどの手段による接合部を設けて重合されることにより内部に海苔Ｓを収容するためのポケット部を構成する。
【０００７】
図４〜図７は前記の包装材によるおにぎりの包装の過程を示す図である。先ず、ポケット部に海苔Ｓを収容した包装材の前後の中央付近に三角形のおにぎりＲの底部を位置させると共に包装材の後半分でおにぎりの背面を覆う（図４参照）。次いで、包装材の前半分でおにぎりＲの正面を覆うが、この場合、おにぎりは三角形であるのに対し包装材は長方形であるので包装材の左右に包装材の前方の角部を頂点とした余白部分Ａ、Ａが残る。そこで、この余白部分Ａ、ＡをおにぎりＲの背面を覆っている包装材の後半分の上に折り返して重ねると共に包装材の上に固定して、更にその上にラベルＬ１０を貼着することにより包装状態を固定する（図５および図６参照）。
【０００８】
以上の包装材の開封にあたっては表側フィルム１１に施されたカットテープ１２、１２をおにぎりＲの正面側から引っ張り上げることにより、表側フィルムから両端にカットテープが位置する分断片Ｔが切り取られ、残余の表側フィルムは左右に順次分断されていく。この分断の過程でカットテープ１２、１２を有する分断片ＴはおにぎりＲの背面側において包装材の前半分の三角部分Ａ、Ａを包装材の後ろ半分に重ねた状態で固定するラベルＬ１０に差しかかり表側フィルム１１及びラベルを分断しながらそのまま進行する（図７参照）。
【０００９】
以上の過程により包装材の表側フィルム１１は左右に分断され、この場合、裏側フィルム１４Ａ、１４Ｂは既に一対のフィルム片により左右に分割されているのであるから、包装体は結局左右に分割されることとなる。そこで、先ず分割された一方の包装体を押さえて他方の包装体を引くことにより、海苔ＳがおにぎりＲの表面に接触した状態で表れ、今度は表れた海苔を押さえて他方の包装体を引くことによりシート状食品の残りの部分がおにぎりの表面に接触した状態で表れ開封が完了する。
【００１０】
以上のように、従来技術の包装材はカットテープにより表側フィルムを切り取って、左右に分断することにより包装材を左右に分割し、さらに分割された包装材を左右に引くことによりポケット部に収容された海苔を残して包装材を取り去り、海苔のみがおにぎりの表面に包装されて残る作用を生じる。よって、カットテープにより切り取られることとなる表側フィルムの面積が大きい方が左右に分割した包装材が小さくなり、それを取り去る際の抵抗が少なくなり開封の失敗が少なくなる。そのため、２本のカットテープを両端では近接し中程では大きく離間するように表側フィルムに接着することにより、カットテープにより切り取られることとなる表側フィルムの面積を大きくする発明が提案されていた（特許文献７）。
【００１１】
しかしながら、前記の公知発明においては、カットテープが蛇行して配されるので、素材の供給のために長尺の表側フィルムをロール状にして巻き取った場合に厚みが不均一となり、供給に支障を来すおそれがあった。
【００１２】
そこで、先端がカットテープに交差するとともに後端がカットテープからフィルムの側端に向かって離れる一対の斜線からなる表側フィルムのハ状の切り込みを設けることにより、上記切り込みに差しかかったカットテープによる表側フィルムの切り取り部分をハ状の切り込みにより幅広に拡大させる発明が提案されていた（特許文献８）。
【先行技術文献】
【特許文献】
【００１３】
【特許文献１】実公平５−３６３９０号公報
【特許文献２】実用新案登録第３００１２１２号公報
【特許文献３】特許第３０６１５１７号公報
【特許文献４】特開平９−５１７６８号公報
【特許文献５】実用新案登録第３０７４５２３号公報
【特許文献６】特開２００７−２５２３１６
【特許文献７】特開２００２−００２７７８
【特許文献８】特開２０１４−１８１２６
【発明の概要】
【発明が解決しようとする課題】
【００１４】
前記の特許文献８に記載の発明は、フィルムに新たな切り込みを入れるだけで表側フィルムの切り取り部分を幅広に拡大させることができる。しかしながら、開封にあたって表側フィルムに施されたカットテープをおにぎりの正面側から引っ張り上げることにより表側フィルムを左右に順次分断する過程において、分断が必ずしもカットテープの外側近傍に沿って行われるとは限らず、時としてフィルム端に不規則に大きく偏位して分断されることもあり、この場合には表側フィルムの切り取り部分がハ状の切り込みの外側を通過してしまい予定した切り取りが実現できないおそれがあった。
【課題を解決するための手段】
【００１５】
本願発明は以上の従来技術の問題点を解消した食品用包装材を提供することを目的として創作されたものである。
【００１６】
すなわち、本願発明は短手方向に２分割するためのカットテープによる分断手段を有すると共に食品を被包可能な大きさを有する略長方形の表側フィルムに、短手方向に２分割した一対のフィルム片により表側フィルムを覆うと共に表側フィルムの分断手段に位置する箇所にフィルム片同士の重なり部を設けた裏側フィルムを重ね合わせた食品用包装材において、
先端が上記カットテープに交差するとともに後端がカットテープからフィルムの側端に向かって離れる一対の斜線からなる表側フィルムのハ状の切り込みと、
上記ハ状の切り込みの上方に位置し、カットテープと交差する横線からなる表側フィルムのー状の切り込みと、
表側フィルムの上記のハ状の切り込みと一状の切り込みを覆う箇所に貼着されるラベル片を、
備えたことを特徴とする。
【００１７】
また、請求項２記載の発明は前記の食品用包装材において、ラベル片は食品の品名ラベルであり、上記のハ状の切り込みと一状の切り込みはラベル片の下方に対応して配されることを特徴とする。
【００１８】
また、請求項３記載の発明は前記の食品用包装材において、カットテープは左右一対配されるとともに、ー状の切り込みは両端がカットテープの達するようカットテープ間に配されることを特徴とする。
【００１９】
また、請求項４記載の発明は前記の食品用包装材において、分断手段の開始箇所の左右に一対の切り込みを設けた配されることを特徴とする。
【発明の効果】
【００２０】
本願発明の食品用包装材によれば、ハ状の切り込みの上方にカットテープと交差する横線からなる表側フィルムのー状の切り込みを設けているので、カットテープを引っ張り上げることにより表側フィルムを左右に順次分断する過程において、表側フィルムの切り取り部分は上記ー状の切り込みに差しかかった段階で内方向の切り取り抵抗がなくなるのでフィルム端に不規則に大きく偏位することが防止され、ハ状の切り込みに必ず到達し予定した切り取りが実現されることとなる。
【００２１】
一方、前記のハ状の切り込みとー状の切り込み箇所にはラベル片が貼着されるので、切り込みから異物が包装内に侵入することがなく、ラベル自体もハ状の切り込みにより、その箇所の表側フィルムの切り取り抵抗がなくなるのでハ状の切り込みに沿って綺麗に切り取られることとなる。
【図面の簡単な説明】
【００２２】
【図１】本願発明の食品用包装材の包装前の正面図。
【図２】同上、分解斜視図。
【図３】従来技術の食品用包装材の分解斜視図。
【図４】同上、包装の過程を示す斜視図。
【図５】同上、包装の過程を示す斜視図。
【図６】同上、包装した状態を示す斜視図。
【図７】同上、開封の過程を示す斜視図。
【発明を実施するための形態】
【００２３】
以下、本願発明の具体的実施例を添付図面に基づいて説明する。図１〜２は本願発明の食品用包装材を示す図であり、ここでは海苔付きの手巻きおにぎりの包装材Ｐを例にとり記載している。図１はプラスチックフィルムからなる包装材、図２はその分解状態を示す。包装材Ｐは表側フィルム１と裏側フィルム６Ａ、６Ｂを、内部に海苔Ｓを収容するためのポケット部を構成するように重合した構成からなる。表側フィルム１は三角形のおにぎりＲを被包可能な大きさの長方形からなり、短手方向に２分割するための帯状の切り取りによる分断手段として表側フィルム１の裏側に固着される一対のカットテープ２、２を有する。ここでは、カットテープ２、２の引き上げ開始時における表側フィルム１の引き裂きを容易にするために、表側フィルムの一端の分断手段の開始箇所の左右に一対の切り込み３、３を設けている。
【００２４】
裏側フィルムは包装時におにぎりＲの表面に接する側のフィルムであり、表側フィルム１を覆う形状に短手方向に２分割した一対のフィルム片６Ａ及び６Ｂにより構成され、これらのフィルム片は表側フィルムの分断手段に位置する箇所において一部分が重なる重なり部を構成する。
【００２５】
表側フィルム１と裏側フィルム６Ａ、６Ｂは、裏側フィルムのフィルム片同士の重なり部を除いた周縁四方にヒートシールなどの手段による接合部を設けて重合されることにより内部に海苔Ｓを収容するためのポケット部を構成する。
【００２６】
図中符号４Ａ、４Ｂ、５は本願発明の要旨を構成する表側フィルム１に設けられる切り込みであり、表側フィルム１にカットテープ２、２を固着する前に施される。切り込み４Ａ、４Ｂはそれぞれの先端が前記カットテープ２、２の片方に交差するとともに後端がカットテープからフィルムの側端に向かって離れる一対の斜線からなるものでありハ状を構成する。前記ハ状の切り込み４Ａ、４Ｂは包装材ＰによりおにぎりＲを被包した際に、丁度おにぎりの正面中央付近に位置するように配される。
【００２７】
次に、切り込み５は前記ハ状の切り込み４Ａ、４Ｂの上方に位置し、カットテープ２、２と交差する横線からなるー状の切り込みであり、両端がカットテープに達するようカットテープ間に配される。
【００２８】
以上の切り込み４Ａ、４Ｂ、５は表側フィルム１の表面に貼着されるラベル片Ｌにより覆われる。上記ラベル片は収容されるおにぎりの商標などを付した食品の品名ラベルであり、上記のハ状の切り込み４Ａ、４Ｂと一状の切り込み５はこのラベル片の下方に対応して配される。
【００２９】
以上の実施例において、ここではハ状の切り込み４Ａ、４Ｂの斜線の角度は４５°、長さは２０ｍｍ、上端の幅は５ｍｍ、下端の幅は３１ｍｍ、上端と一状の切り込み５の幅は５ｍｍとしているが、具体的な数値はこれに限定されないことは勿論である。
【符号の説明】
【００３０】
１                表側フィルム
４Ａ、４Ｂ        ハ状の切り込み
５                ー状の切り込み
６Ａ、６Ｂ        （裏側フィルムを構成する）フィルム片
【図１】
2018095294.tif 000003
【図２】
2018095294.tif 000004
【図３】
2018095294.tif 000005
【図４】
2018095294.tif 000006
【図５】
2018095294.tif 000007
【図６】
2018095294.tif 000008
【図７】
2018095294.tif 000009